(57)【要約】【課題】転送すべき映像情報の一部を映像情報源側で特定可能にする。【解決手段】ムービーカムコーダ１０は映像情報を格納するＨＤＤユニット１５と、外部装置とのケーブル接続を確立するＵＳＢインターフェース１８と、外部装置とのケーブル接続が確立した状態でＨＤＤユニット１５のアクセス権を外部装置に委譲するコントローラ１４とを備える。コントローラ１４はＨＤＤユニット１５のアクセス権委譲前に映像情報の一部を転送対象として特定するコマンドファイルをＨＤＤユニット１５に格納するように構成される。【選択図】図１
2009043366.tif 000002
【特許請求の範囲】
【請求項１】
映像情報を格納するメモリ部と、外部装置とのケーブル接続を確立するインターフェースと、前記外部装置とのケーブル接続が確立した状態で前記メモリ部のアクセス権を前記外部装置に委譲する制御部とを備え、前記制御部は前記メモリ部のアクセス権委譲前に前記映像情報の一部を転送対象として特定するコマンドデータを前記メモリ部に格納するように構成されることを特徴とする映像情報管理装置。
【請求項２】
映像情報および前記映像情報の一部を転送対象として特定するコマンドデータを格納するメモリ部を持つ映像情報源とのケーブル接続を確立するインターフェースと、前記映像情報源から前記メモリ部のアクセス権を委譲されたことを検出し、前記コマンドデータによって転送対象として特定された前記映像情報の一部を前記メモリ部から取得し、この取得結果を記録媒体に記録する記録制御部とを備えることを特徴とする映像情報記録装置。
【請求項３】
映像情報を格納するメモリ部、外部装置とのケーブル接続を確立するインターフェース、並びに前記外部装置とのケーブル接続が確立した状態で前記メモリ部のアクセス権を前記外部装置に委譲する制御部を含み、前記制御部は前記メモリ部のアクセス権委譲前に前記映像情報の一部を転送対象として特定するコマンドデータを前記メモリ部に格納するように構成される映像情報管理装置と、
前記外部装置として前記映像情報管理装置とのケーブル接続を確立するインターフェース、並びに映像情報管理装置から前記メモリ部のアクセス権を委譲されたことを検出し、前記コマンドデータによって転送対象として特定された前記映像情報の一部を前記メモリ部から取得し、この取得結果を記録媒体に記録する記録制御部を含む映像情報記録装置とを備えたことを特徴とする映像情報転送システム。
【請求項４】
映像情報を格納するメモリ部と、外部装置とのケーブル接続を確立するインターフェースと、前記外部装置とのケーブル接続が確立した状態で前記メモリ部のアクセス権を前記外部装置に委譲する制御部とを映像情報源に設け、前記メモリ部のアクセス権委譲前に前記映像情報の一部を転送対象として特定するコマンドデータを前記メモリ部に格納することを特徴とする映像情報管理方法。
【請求項５】
映像情報および前記映像情報の一部を転送対象として特定するコマンドデータを格納するメモリ部を持つ映像情報源とのケーブル接続を確立するインターフェースを設け、前記映像情報源から前記メモリ部のアクセス権を委譲されたことを検出し、前記コマンドデータによって転送対象として特定された前記映像情報の一部を前記メモリ部から取得し、この取得結果を記録媒体に記録することを特徴とする映像情報記録方法。
【請求項６】
映像情報を格納するメモリ部、外部装置とのケーブル接続を確立するインターフェース、並びに前記外部装置とのケーブル接続が確立した状態で前記メモリ部のアクセス権を前記外部装置に委譲する制御部を映像情報源に設け、前記映像情報源とのケーブル接続を確立するインターフェースを前記外部装置に設け、前記メモリ部のアクセス権委譲前に前記映像情報の一部を転送対象として特定するコマンドデータを前記メモリ部に格納し、前記映像情報源から前記メモリ部のアクセス権を委譲されたことを検出し、前記コマンドデータによって転送対象として特定された前記映像情報の一部を前記メモリ部から取得し、この取得結果を記録媒体に記録することを特徴とする映像情報転送方法。
【請求項７】
前記記録制御部は前記映像情報の一部の取得後、前記映像情報の一部のうちの移動用ファイルに関して取得完了情報を前記メモリ部に格納し、取得済移動用ファイルを無効状態に設定して前記メモリ部のアクセス権を放棄するように構成されることを特徴とする請求項３に記載の映像情報転送システム。
【請求項８】
前記制御部は前記メモリ部のアクセス権が前記外部装置側で放棄されたことを検出して前記メモリ部のアクセス権を取戻し、取得完了情報で確認された移動用ファイルを前記メモリ部から削除し、この削除を確認するための確認信号を前記外部装置側に送出するように構成されることを特徴とする請求項７に記載の映像情報転送システム。
【請求項９】
前記記録制御部は前記映像情報管理装置からの前記確認信号を検出して前記取得済移動用ファイルを有効状態に設定することを特徴とする請求項８に記載の映像情報転送システム。
【発明の詳細な説明】
【技術分野】
【０００１】
本発明は、映像情報を転送するためにＵＳＢインターフェース等を用いる映像情報管理装置、映像情報記録装置、映像情報転送システム、映像情報管理方法、映像情報記録方法、および映像情報転送方法に関する。
【背景技術】
【０００２】
近年ムービーカムコーダの市場では、映像情報の記録媒体がビデオテープからハードディスク、ＤＶＤ、メモリカード等へ急速に移行しつつある。また、これらビデオテープ以外の記録媒体に映像情報を記録させるムービーカムコーダは、ＵＳＢ端子のようなインターフェースを備えるものが多い（例えば特許文献１を参照）。このＵＳＢ端子はムービーカムコーダの記録媒体をマスストレージクラスとして公開するためのものである。
【０００３】
ムービーカムコーダがＵＳＢ端子を利用してコンピュータに接続されると、「ＵＳＢ大容量記憶装置デバイス」という認識状態がコンピュータのデバイス表示画面に表示される。このとき、コンピュータはムービーカムコーダの記録媒体を自由にアクセスすることができる。すなわち、コンピュータは記録媒体に保持された映像情報の全ファイルを閲覧して特定のファイルを選択的にコピーすることができる。
【０００４】
ちなみに、特許文献１では、コンピュータがデジタル８ｃｍのＤＶＤ−ＲＡＭである記録媒体に映像情報を記録するビデオカメラ（ムービーカムコーダ)にＵＳＢ端子を利用して接続され、デジタルビデオカメラ側のダビングボタン操作に伴ってマスストレージクラスとして公開される記録媒体から映像情報の全てを取得して他の記録媒体に記録するように構成されている。
【特許文献１】特開平９−９８３２３号公報
【発明の開示】
【発明が解決しようとする課題】
【０００５】
しかしながら、ＵＳＢ端子を利用したムービーカムコーダの接続先としては、例えばＤＶＤレコーダも考えなくてはならない。このＤＶＤレコーダはコストを重視するコンシューマ機器であるため、記録媒体のアクセスにおいてコンピュータのような自由度を与えることは無理である。また、ＤＶＤレコーダが上述の特許文献１のような構成であると、映像情報の記録媒体として大容量のハードディスクをムービーカムコーダに設ける場合に、蓄積により膨大なファイル数となった映像情報を部分的に他の記録媒体に記録することが困難である。さらに、ムービーカムコーダの記録媒体内の映像情報の全てをＤＶＤレコーダに自由にコピーできるような構成は著作物を保護するという観点で好ましくない。
【０００６】
本発明はこのような課題に鑑みてなされたものであり、転送すべき映像情報の一部を映像情報源側で特定可能な映像情報管理装置、映像情報記録装置、映像情報転送システム、映像情報管理方法、映像情報記録方法、および映像情報転送方法を提供することを目的とする。
【課題を解決するための手段】
【０００７】
本発明の第１観点によれば、映像情報を格納するメモリ部と、外部装置とのケーブル接続を確立するインターフェースと、外部装置とのケーブル接続が確立した状態でメモリ部のアクセス権を外部装置に委譲する制御部とを備え、制御部はメモリ部のアクセス権委譲前に映像情報の一部を転送対象として特定するコマンドデータをメモリ部に格納するように構成される映像情報管理装置が提供される。
【０００８】
本発明の第２観点によれば、映像情報および映像情報の一部を転送対象として特定するコマンドデータを格納するメモリ部を持つ映像情報源とのケーブル接続を確立するインターフェースと、映像情報源からメモリ部のアクセス権を委譲されたことを検出し、コマンドデータによって転送対象として特定された映像情報の一部をメモリ部から取得し、この取得結果を記録媒体に記録する記録制御部とを備える映像情報記録装置が提供される。
【０００９】
本発明の第３観点によれば、映像情報を格納するメモリ部、外部装置とのケーブル接続を確立するインターフェース、並びに外部装置とのケーブル接続が確立した状態でメモリ部のアクセス権を外部装置に委譲する制御部を含み、制御部はメモリ部のアクセス権委譲前に映像情報の一部を転送対象として特定するコマンドデータをメモリ部に格納するように構成される映像情報管理装置と、外部装置として映像情報管理装置とのケーブル接続を確立するインターフェース、並びに映像情報管理装置からメモリ部のアクセス権を委譲されたことを検出し、コマンドデータによって転送対象として特定された映像情報の一部をメモリ部から取得し、この取得結果を記録媒体に記録する記録制御部を含む映像情報記録装置とを備えた映像情報転送システムが提供される。
【００１０】
本発明の第４観点によれば、映像情報を格納するメモリ部と、外部装置とのケーブル接続を確立するインターフェースと、外部装置とのケーブル接続が確立した状態でメモリ部のアクセス権を外部装置に委譲する制御部とを映像情報源に設け、メモリ部のアクセス権委譲前に映像情報の一部を転送対象として特定するコマンドデータをメモリ部に格納する映像情報管理方法が提供される。
【００１１】
本発明の第５観点によれば、映像情報および映像情報の一部を転送対象として特定するコマンドデータを格納するメモリ部を持つ映像情報源とのケーブル接続を確立するインターフェースを設け、映像情報源からメモリ部のアクセス権を委譲されたことを検出し、コマンドデータによって転送対象として特定された映像情報の一部をメモリ部から取得し、この取得結果を記録媒体に記録する映像情報記録方法が提供される。
【００１２】
本発明の第６観点によれば、映像情報を格納するメモリ部、外部装置とのケーブル接続を確立するインターフェース、並びに外部装置とのケーブル接続が確立した状態でメモリ部のアクセス権を外部装置に委譲する制御部を映像情報源に設け、映像情報源とのケーブル接続を確立するインターフェースを外部装置に設け、メモリ部のアクセス権委譲前に映像情報の一部を転送対象として特定するコマンドデータをメモリ部に格納し、映像情報源からメモリ部のアクセス権を委譲されたことを検出し、コマンドデータによって転送対象として特定された映像情報の一部をメモリ部から取得し、この取得結果を記録媒体に記録する映像情報転送方法が提供される。
【発明の効果】
【００１３】
これら映像情報管理装置、映像情報記録装置、映像情報転送システム、映像情報管理方法、映像情報記録方法、および映像情報転送方法では、映像情報の一部を転送対象として特定するコマンドデータがメモリ部に格納され、この後メモリ部のアクセス権が外部装置に委譲される。これにより、転送すべき映像情報の一部が映像情報源側で特定できることになる。さらに、コマンドデータの内容を把握して映像情報の一部を取得することは容易であり、外部装置側の動作を単純化しかつ著作物としての映像情報の自由なコピーを制限できる。これは、外部装置がＤＶＤレコーダのようなコンシューマ機器である場合に有利である。
【発明を実施するための最良の形態】
【００１４】
以下、本発明の一実施形態に係る映像情報転送システムについて添付図面を参照して説明する。この映像情報転送システムは、映像情報源となるムービーカムコーダと、このムービーカムコーダにＵＳＢケーブルで接続される外部装置であるＤＶＤレコーダとで構成される。
【００１５】
図１はムービーカムコーダ１０の回路構成を概略的に示し、図２はＤＶＤレコーダ２０の回路構成を概略的に示す。ムービーカムコーダ１０は光学系１１、ＣＣＤ撮像部１２、ＭＰＥＧエンコーダ１３、コントローラ１４、ハードデスク（ＨＤＤ）ユニット１５、ＭＰＥＧデコーダ１６、モニタディスプレイ１７、ＵＳＢインターフェース１８を備える。光学系１１はレンズ等であり、ＣＣＤ撮像部１２は光学系１１を介して被写体を撮影し、この結果を電気信号に変換する。ＭＰＥＧエンコーダ１３はＣＣＤ撮像部１２から得られた電気信号をＭＰＥＧエンコードすることにより圧縮して映像情報を生成する。コントローラ１４は操作部１４Ａを有し、この操作部１４Ａの操作に従ってムービーカムコーダ１０全体の動作を制御する。コントローラ１４は撮影毎に得られる映像情報をタイトルファイルとしてＨＤＤユニット１５に出力する。ＨＤＤユニット１５は内部のハードディスクに映像情報をタイトルファイル単位に格納する。ハードディスクに格納された映像情報は操作部１４Ａの操作によりタイトルファイル単位に選択可能である。また、コントローラ１４は操作部１４Ａの操作により撮影中または撮影後に映像情報をＭＰＥＧデコーダ１６に出力可能である。ＭＰＥＧデコーダ１６は映像情報をＭＰＥＧデコードにより伸張する。モニタディスプレイ１７はＭＰＥＧデコーダ１６から得られる映像情報を表示する。ＵＳＢインターフェース１８はＤＶＤレコーダ２０やコンピュータ等の外部装置との接続を確立するために設けられている。操作部１８はＵＳＢインターフェース１８にＵＳＢケーブルで接続される外部装置に対してタイトルファイルを転送（移動または複写）するために保護転送モードを設定可能である。コントローラ１４は、ＤＶＤレコーダ２０とのケーブル接続が確立した状態でメモリ部であるＨＤＤユニット１５のハードディスクのアクセス権を外部装置のＤＶＤレコーダ２０に委譲する制御部を構成し、ハードディスクのアクセス権委譲前に映像情報の一部を転送対象として特定するコマンドデータ、具体的にはコマンドファイルをハードディスクに格納するように構成される。この場合、ＨＤＤユニット１５のハードディスクに格納された映像情報の一部は操作部１８により転送用に選択される。図３に示すように、コマンドファイルは選択された映像情報を特定するタイトルファイル名およびタイトル格納領域情報からなるタイトル情報ファイルおよび転送の種別を含む。ハードディスクでは、映像情報のタイトルファイルが隠しフォルダに配置され、コマンドファイルはこの隠しフォルダとは別の公開フォルダに配置される。
【００１６】
ＤＶＤレコーダ２０は主としてアンテナ２０で受信される放送電波から得られる映像情報をＤＶＤに記録すると共に、この映像情報をディスプレイＤＳＰに表示させるために用いられる。このＤＶＤレコーダ２０はデジタルチューナ２１、ＭＰＥＧデコーダ２２、ＭＰＥＧエンコーダ２３、ＣＰＵ２４、バッファメモリ２５、ＨＤＤユニット２６、ＤＶＤユニット２７、およびＵＳＢインターフェース２８を備える。デジタルチューナ２１はアンテナで受信された放送電波から映像情報を抽出してＭＰＥＧデコーダ２２に出力する。ＭＰＥＧデコーダ２２は映像情報をＭＰＥＧデコードにより伸張してディスプレイＤＳＰおよびＭＰＥＧエンコーダ２３に出力する。ディスプレイ１７はＭＰＥＧデコーダ１６から得られる映像情報を表示する。また、ＭＰＥＧエンコーダ２３は映像情報をＭＰＥＧエンコードにより再圧縮し、この映像情報をタイトルファイルとしてバッファメモリ２５に格納する。ＣＰＵ２４はＤＶＤレコーダ２０全体の動作を制御するコントローラとして設けられ、図示しない操作部を含む。ＣＰＵ２４はバッファメモリ２５に格納された映像情報をタイトルファイル単位にＨＤＤユニット１５に保存し、映像情報をＤＶＤに記録する場合にこのＨＤＤユニット１５からバッファメモリ２５を介してこの映像情報をＤＶＤユニット２７に出力する。これにより、ＤＶＤユニット２７はこの映像情報をＤＶＤ記録フォーマットでＤＶＤに記録する。また、ＣＰＵ２４はＤＶＤに記録された映像情報の再生をＤＶＤユニット２７に行わせ、ＤＶＤユニット２７により再生された映像情報をＭＰＥＧデコーダ２２にバッファメモリ２５を介して供給する。この場合、ＭＰＥＧデコーダ２２はバッファメモリ２５からの映像情報をＭＰＥＧデコードにより伸張してディスプレイＤＳＰに表示させる。ＵＳＢインターフェース２８はムービーカムコーダ１０との接続を確立するために設けられている。ＣＰＵ２４、バッファメモリ２５、ＨＤＤユニット２６、およびＤＶＤユニット２７のようなコンポーネントは、映像情報源であるムービーカムコーダ１０からＨＤＤユニット１５のハードディスクのアクセス権を委譲されたことを検出し、上述のコマンドファイルによって転送対象として特定された映像情報の一部をＨＤＤユニット１５のハードディスクから取得し、この取得結果を記録媒体となるＤＶＤに記録する記録制御部を構成する。
【００１７】
図４は映像情報転送システムで行われる保護転送モードの動作を示す。この保護転送モードでは、まずステップＳ１１でムービーカムコーダ１０とＤＶＤレコーダ２０とがＵＳＢケーブルで接続される。続いて、タイトル選択がステップＳ２で操作部１４Ａにより行われる。このとき、ＨＤＤユニット１５のハードディスクに格納された映像情報がタイトルファイルの一覧としてモニタディスプレイ１７に表示され、この一覧から選択されたタイトルファイルに対して移動および複写のいずれかが設定される。この後、ステップＳ１３で送信ボタン等が承認操作として操作される。この承認操作が行われると、ステップＳ１４で図３に示すコマンドファイルが作成されてＨＤＤユニット１５のハードディスクに格納される。この後、コントローラ１４はＨＤＤユニット１５の制御をステップＳ１５で切り離すことにより、ＨＤＤユニット１５のハードディスクのアクセス権をＤＶＤレコーダ２０に委譲する。この場合、ＨＤＤユニット１５のハードディスクはマスストレージクラスとして公開される。このマスストレージクラスは通信用途でないため、コントローラ１４はこの状態で情報を送信できなくなる。
【００１８】
ＨＤＤユニット１５の制御がステップＳ１５で切り離されると、ＤＶＤレコーダ２０側でホットプラグイベントが発生する。ステップＳ１６でこのホットプラグイベントが検出されると、続いてステップＳ１７でＨＤＤユニット１５のハードディスクがマスストレージクラスとして公開されたＵＳＢ機器であると認識される。この認識後、コマンドファイルがステップＳ１８でＨＤＤユニット１５のハードディスクからＵＳＢケーブルを経由して読み取られ、タイトルの取得がこのコマンドファイルに従ってステップＳ１９で行われる。すなわち、コマンドファイルで特定された映像情報の一部がＨＤＤユニット１５のハードディスク内の格納領域からＵＳＢケーブルを経由してＤＶＤレコーダ２０側に転送され、ＨＤＤユニット２６に格納される。ここで、転送対象が移動用タイトルファイルである場合、ＣＰＵ２４の制御によりこの移動用ファイルに関して取得完了情報をＨＤＤユニット１５のハードディスクに格納するか、コマンドファイルの内容を書き換えるようにして移動用ファイルの取得完了を確認できるようにする。また、このとき、取得済の移動用ファイルはＨＤＤユニット２６において無効状態に設定される。こうして、タイトルの取得が終了すると、ＣＰＵ２４はステップＳ２０でこの終了通知を兼ねてＨＤＤユニット１５の制御を放棄する。
【００１９】
ムービーカムコーダ１０では、コントローラ１４がこのＨＤＤユニット１５の制御放棄に伴ってステップＳ２１でＨＤＤユニット１５の制御を回復する。続くステップＳ２２では、コントローラ１４がＨＤＤユニット１５のハードディスクにおいて取得完了情報あるいはコマンドファイルの書き換え結果を確認して、移動用タイトルファイルを削除する。さらに、コントローラ１４はステップＳ２３でこの削除を確認するための確認信号をＤＶＤレコーダ２０側に送出する。ＤＶＤレコーダ２０側では、ＣＰＵ２４がこの確認信号を検出し、無効状態に設定されていた取得済の移動用タイトルファイルを有効化する。
【００２０】
上述の実施形態では、映像情報の一部を転送対象として特定するコマンドファイル（コマンドデータ）が映像情報管理装置（ムービーカムコーダ１０）においてＨＤＤユニット１５のハードディスク（メモリ部）に格納され、この後ハードディスクのアクセス権が外部装置としての映像情報記録装置（ＤＶＤレコーダ２０）に委譲される。これにより、転送すべき映像情報の一部が映像情報源（ムービーカムコーダ１０）側で特定できることになる。さらに、コマンドファイルの内容を把握して映像情報の一部を取得することは容易であり、外部装置の動作を単純化しかつ著作物としての映像情報の自由なコピーを制限できる。これは、外部装置がＤＶＤレコーダ２０のようなコンシューマ機器である場合に有利である。また、ＤＶＤレコーダ２０が移動用タイトルファイルの取得直後にムービーカムコーダ１０から切り離された場合でも、取得済の移動用タイトルファイルはＨＤＤユニット２６のハードディスクにおいて無効化されているため、ムービーカムコーダ１０およびＤＶＤレコーダ２０の両方に移動用タイトルファイルが残って、実質的な複写が行われることが避けられる。ちなみに、上述の保護転送モードに適応しない一般的なＤＶＤプレーヤがＵＳＢケーブルでムービーカムコーダ１０に接続された場合でも、映像情報は隠しフォルダに配置されているので、一般的なＤＶＤプレーヤがこの隠しフォルダ内から映像情報を自由に取得することはできない。但し、ムービーカムコーダ１０側でこの隠しフォルダを公開フォルダに変更することは任意である。
【００２１】
尚、本発明は上述の実施形態に限定されず、その要旨を逸脱しない範囲で様々に変形可能である。
【００２２】
上述の実施形態では、ＵＳＢインターフェース１８，２８がムービーカムコーダ１０とＤＶＤレコーダ２０との間のファイル転送に用いられたが、ＨＤＤユニット１５のハードディスクのようなメモリ部をマスストレージクラスとして公開する他のインターフェース、例えばＩＥＥＥ１３９４インターフェースを用いてもよい。
【図面の簡単な説明】
【００２３】
【図１】本発明の一実施形態に係る映像転送システムのムービーカムコーダの回路構成を概略的に示す図である。
【図２】映像転送システムにおいて図１に示すムービーカムコーダにＵＳＢケーブルで接続されるＤＶＤレコーダの回路構成を概略的に示す図である。
【図３】図１に示すＨＤＤユニットのハードディスクに格納されるコマンドファイルの構成を示す図である。
【図４】図１に示すムービーカムコーダおよび図２に示すＤＶＤレコーダからなる映像転送システムにおいて行われる保護転送モードの動作を示す図である。
【符号の説明】
【００２４】
１０…ムービーカムコーダ、１４…コントローラ、１５…ＨＤＤユニット、１８…ＵＳＢインターフェース、２０…ＤＶＤレコーダ、２４…ＣＰＵ、２５…バッファメモリ、２６…ＨＤＤユニット、２７…ＤＶＤユニット。
【図１】
2009043366.tif 000003
【図２】
2009043366.tif 000004
【図３】
2009043366.tif 000005
【図４】
2009043366.tif 000006